(57)【特許請求の範囲】
【請求項１】
布製でいずれの方向にも変形容易な袋体と、該袋体の開口部に取り付けられ導入口を開閉するシャッタを有した枠体とを備え、
前記シャッタは、前記枠体に形成されたガイド溝に沿って前記導入口を一方から他方までスライドするスライド体と、該スライド体に回動軸を介して回動自在にヒンジ結合される揺動体とを有しており、
前記スライド体が前記導入口の一方に位置すると前記シャッタが前記導入口を開放するとともに前記揺動体が全体として前記枠体よりも外側に位置し前記回動軸を介して回動可能となり、前記揺動体が前記枠体に押し込まれると前記スライド体が前記導入口の他方に位置して前記シャッタが前記導入口を閉塞することになり、
前記枠体は、前記ガイド溝が形成された上部構成体と、前記袋体に取り付けられる下部構成体とを有し、前記上部構成体が前記下部構成体に開閉可能にヒンジ結合されていることを特徴とする紙幣収納カセット。
【請求項２】
前記袋体は、前記枠体と前記袋体とを係止させる係止手段を備えていることを特徴とする請求項１に記載の紙幣収納カセット。
【請求項３】
請求項１又は２に記載した紙幣収納カセットを搬送するための搬送ケースであって、自立可能なケース本体と、該ケース本体の上部開口部に設けられ前記枠体を支持する支持手段とを備えることを特徴とする搬送ケース。
【請求項４】
前記紙幣収納カセットを収容していないときに、折り畳み可能に構成されていることを特徴とする請求項３に記載の搬送ケース。
【発明の詳細な説明】
【技術分野】
【０００１】
この発明は、紙幣処理機に着脱自在に設けられ金庫として用いられる紙幣収納カセット及びその搬送ケースに関するものである。
【背景技術】
【０００２】
紙幣処理機において、紙幣を収納する収納カセットを処理機本体に対し着脱可能に構成し、この収納カセットを金庫として用いて紙幣の運搬を行うことが行われているが、この収納カセットを蛇腹構造にして伸縮可能に構成し、紙幣の収納量に応じて収納容量を変化させることで、空状態での取扱性および保管効率を向上する技術がある（例えば、特許文献１参照）。
【特許文献１】特開２０００−１４９０８８号公報
【発明の開示】
【発明が解決しようとする課題】
【０００３】
しかしながら、上述の収納カセットにおいては、蛇腹構造を採用していることから、伸縮方向の変形は容易であるものの、他の方向への変形は容易でなく、また、最も縮長させた状態でも十分に小型化できるとはいえなかった。一方、紙幣が収納された上記収納カセットを搬送する際、例えば、床などに自立させようとすると、伸縮方向の変形が容易であるため姿勢が不安定になるという課題がある。
【０００４】
そこで、この発明は、空状態でより小型化が可能な紙幣収納カセット及びその搬送ケースを提供するものである。
【課題を解決するための手段】
【０００５】
上記の課題を解決するために、請求項１に記載した発明は、布製でいずれの方向にも変形容易な袋体（例えば、実施の形態における袋体４２）と、該袋体の開口部（例えば、実施の形態における開口部４１）に取り付けられ導入口（例えば、実施の形態における導入口５２）を開閉するシャッタ（例えば、実施の形態におけるカセットシャッタ５３）を有した枠体（例えば、実施の形態における枠体４３）とを備え、前記シャッタは、前記枠体に形成されたガイド溝（例えば、実施の形態におけるガイド溝５４）に沿って前記導入口を一方から他方までスライドするスライド体（例えば、実施の形態におけるスライド体５５）と、該スライド体に回動軸（例えば、実施の形態における回動軸５６）を介して回動自在にヒンジ結合される揺動体（例えば、実施の形態における揺動体５７）とを有しており、前記スライド体が前記導入口の一方に位置すると前記シャッタが前記導入口を開放するとともに前記揺動体が全体として前記枠体よりも外側に位置し前記回動軸を介して回動可能となり、前記揺動体が前記枠体に押し込まれると前記スライド体が前記導入口の他方に位置して前記シャッタが前記導入口を閉塞することになり、前記枠体は、前記ガイド溝が形成された上部構成体（例えば、実施の形態における上部構成体４６）と、前記袋体に取り付けられる下部構成体（例えば、実施の形態における下部構成体４４）とを有し、前記上部構成体が前記下部構成体に開閉可能にヒンジ結合されていることを特徴とする。
【０００６】
請求項２に記載した発明は、請求項１に記載の発明において、前記袋体が、前記枠体と前記袋体とを係止させる係止手段（例えば、実施の形態におけるフック８４）を備えていることを特徴とする。
【０００７】
請求項３に記載した発明は、請求項１又は２に記載した紙幣収納カセットを搬送するための搬送ケースであって、上部開口部（例えば、実施の形態における上部開口部９０）を有し自立可能なケース本体（例えば、実施の形態におけるケース本体部７２）と、該ケース本体の上部開口部に設けられ前記枠体を支持する支持手段（例えば、実施の形態における支持部７３）とを備えることを特徴とする。
【０００８】
請求項４に記載した発明は、請求項３に記載の発明において、前記紙幣収納カセットを収容していないときに、折り畳み可能に構成されていることを特徴とする。
【発明の効果】
【０００９】
請求項１に記載した発明によれば、袋体が布製でいずれの方向にも変形容易であるため、変形自由度が高くて取扱性に優れることになり、また、紙幣が回収され空の状態のときに袋体をより一層小さく折畳むことができるため保管効率が優れることになる。さらに、紙幣が回収され空の状態のときに袋体を枠体に巻回させることができるため、容易にサイズ縮小ができ、したがって、さらなる保管効率の向上を図ることができる効果がある。
【００１０】
請求項２に記載の発明によれば、請求項１の効果に加え、例えば袋体の端部に係止手段を設けることで、袋体を枠体に巻回させた状態で係止手段により枠体に係止させることができるため、空の紙幣収納カセットをよりコンパクトな状態で保管することができる効果がある。
【００１１】
請求項３に記載した発明によれば、紙幣収納カセットの枠体を、自立可能に構成されたケース本体の上部開口部の支持手段によって支持することができるため、紙幣収納カセットを安定的且つ容易に搬送することができる効果がある。
【００１２】
請求項４に記載した発明によれば、請求項３の効果に加え、紙幣収納カセットを搬送して取り出した後に折畳むことができるため、紙幣収納カセットを収容しない保管時に小型化することができ、保管効率の向上を図ることができる効果がある。
【発明を実施するための最良の形態】
【００１３】
本発明の一実施形態の紙幣収納カセットおよびその搬送ケースを図面を参照して以下に説明する。
図１は紙幣処理機１を示すもので、この紙幣処理機１は、バラの紙幣Ｓを計数して入金および収納する入金収納処理と、バラの紙幣Ｓを計数して返却する計数処理とを行うことが可能とされるものである。
【００１４】
紙幣処理機１は、図１に概略的に示すように、処理機本体２と、処理機本体２に対し着脱可能に装填される紙幣収納カセット３とを有している。
【００１５】
処理機本体２は、機体の前面２Ａ側の上部にバラ紙幣Ｓが投入される装填部１２が設けられ、この装填部１２の下側に機体内からリジェクト紙幣が繰り出されるリジェクト部１３が設けられている。
【００１６】
装填部１２は、水平に対し若干後ろ下がりに傾斜してその底をなす台部１５を有しており、この台部１５上に紙幣Ｓが上下方向に集積された状態で装填される。なお、台部１５を水平に配置しても良い。
【００１７】
また、装填部１２には、台部１５の機体奥側上方に機体左右方向に沿って配設された回動軸１６と、この回動軸１６に回動可能に支持されて台部１５の上側で上下に揺動可能とされ、台部１５上に装填された紙幣Ｓを台部１５との間で挟持するビルプレス１７とが設けられている。
【００１８】
処理機本体２は、装填部１２の機体奥側に、このように台部１５上に装填されたバラの紙幣Ｓを、下側のものから一枚ずつ分離して機体内に繰り出す分離繰出部２０を有している。この分離繰出部２０は、装填部１２の台部１５に、台部１５から上部を一部突出させた状態で機体左右方向に沿う軸回りに回転可能に設けられた蹴出ローラ２１と、台部１５よりも機体奥側に蹴出ローラ２１と平行な軸回りに回転可能に設けられた繰出ローラ２２と、この繰出ローラ２２の上側に繰出ローラ２２と平行な軸回りに回転可能に設けられた分離ローラ２３とを有している。分離ローラ２３は、図示せぬワンウエイクラッチによって繰出ローラ２２側が紙幣Ｓを機体奥方に移動させる方向の回転、すなわち図１における反時計回り方向の回転が規制され、逆方向の回転のみ許容される。
【００１９】
このような分離繰出部２０は、台部１５上に装填されたバラの紙幣Ｓの最下のものを蹴出ローラ２１で繰出ローラ２２と分離ローラ２３との間に蹴り出し、この蹴り出し時に最下の紙幣Ｓに引きずられて繰出ローラ２２と分離ローラ２３との間に移動した紙幣Ｓを分離ローラ２３で止めて蹴り出された最下の紙幣Ｓのみを繰出ローラ２２で機体内方に繰り出す。
【００２０】
処理機本体２は、分離繰出部２０の機体奥側に接続され、分離繰出部２０から繰り出された紙幣Ｓを搬送する搬送部２５を有している。この搬送部２５は、紙幣Ｓを案内する複数のガイド板と搬送ローラと振分部材等で構成されるもので、分離繰出部２０から略水平に沿って機体奥側に延出した後に下側に折り返し略水平に沿って機体手前側に延出してリジェクト部１３に接続される搬送路２６と、この搬送路２６の途中から分岐して前下がりに延出する搬送路２７とを有しており、搬送路２６には、搬送中の紙幣Ｓの金種、真偽、正損および搬送異常の識別と計数とを行う識別部２８が設けられている。
【００２１】
処理機本体２は、搬送部２５の搬送路２７の端末位置に、識別部２８により真紙幣かつ正紙幣で正常搬送と識別された紙幣Ｓを金種混合で一時貯留させる一時貯留部３０が接続されている。この一時貯留部３０は、機体前面側から開閉可能な返却扉３１と、返却扉３１とで平面視枠状をなす壁部３２と、機体前後方向に水平にスライドすることで返却扉３１および壁部３２で囲まれた一時貯留空間３３の下部を開閉する一時貯留部シャッタ３４と、紙幣Ｓを下方に押し込む昇降可能な押込部３５とを有している。そして、処理機本体２には、各部を制御する制御部３６と、操作者による操作入力が行われる操作部３７と、操作者への表示を行う表示部３８とが設けられている。また、返却扉３１には、制御部３６でロックおよびロック解除が制御される返却扉ロック部３９が設けられている。
【００２２】
なお、装填部１２には、紙幣Ｓが分離繰出部２０の分離繰出方向に短手方向を沿わせる姿勢で装填されることになり、搬送部２５は紙幣Ｓをその短手方向を搬送方向に沿わせた姿勢で搬送し、その短手方向を放出方向に沿わせた姿勢で一時貯留部３０およびリジェクト部１３のいずれかに放出させる。勿論、紙幣Ｓを長手方向を搬送方向に沿わせた姿勢で搬送するようにしても良い。
【００２３】
そして、紙幣収納カセット３は、処理機本体２の前面２Ａに設けられた開閉可能な扉体４０を開いた状態で処理機本体２に対し機体前後方向に出し入れされることになり、処理機本体２に装填された状態で一時貯留部３０の鉛直下方に配置される。以下、紙幣収納カセット３を処理機本体２に装填された状態をもって説明する。
【００２４】
図２に示すように、紙幣収納カセット３は、滑りの良い布製であって長さ方向一側に開口部４１を有する略有底角筒状に縫製された袋体４２を有している。この袋体４２は全体的に布製とされることで、三次元のいずれの方向にも変形容易となっているものの、外力を受けない状態では縫製によって有底角筒状をほぼ維持可能になっている。
【００２５】
紙幣収納カセット３は、袋体４２の開口部４１側の周縁部に取り付けられる金属製または合成樹脂製の枠体４３を有している。この枠体４３は、平面視が長方形枠状をなすとともに袋体４２の開口部４１側の周縁部の全周に取り付けられる下部構成体４４と、この下部構成体４４に開閉可能にヒンジ結合された平面視が長方形枠状の上部構成体４６とを有している。上部構成体４６は下部構成体４４に対して閉状態（当接状態）でロック可能とされている。下部構成体４４には、周方向に等間隔で係止突起部４７が形成されており、袋体４２の開口部４１側の周縁部が係止突起部４７に係止される。そして、下部構成体４４の内側に嵌合固定される角リング状の保持部材４８によって、係止突起部４７に係止された袋体４２の上方移動を規制し、係止突起部５５からの外れを規制する。
【００２６】
紙幣収納カセット３は、その枠体４３が、処理機本体２に機体前後方向に沿う水平状態で固定されたガイドレール５０で案内されて処理機本体２内に配置されることになり、ガイドレール５０の上面に載置されて水平状態に支持されることになる。
【００２７】
上部構成体４６には、枠体４３の上部に形成された導入口５２を開閉するスライド式のカセットシャッタ（シャッタ）５３が設けられている。このカセットシャッタ５３は、上部構成体４６に形成されたガイド溝５４に沿って導入口５２を機体前後方向の一方から他方まで水平状態でスライドする平板状のスライド体５５と、このスライド体５５に回動軸５６を介して回動自在にヒンジ結合される揺動体５７とを有している。
【００２８】
上部構成体４６には、閉状態のカセットシャッタ５３の下側に、一対のフラッパ６０がそれぞれ回動軸６１を中心に回動可能に設けられている。これらフラッパ６０は、それぞれが支持される回動軸６１から互いに近接する方向に延出し、平面視で導入口６１内に両側から突出する閉状態と、回動軸６１を中心に下方に回動して平面視で導入口６１内から退避する開状態との間で回動可能とされ、閉状態となるように図示せぬネジリバネで付勢されている。
【００２９】
一時貯留部３０の鉛直下方位置つまり紙幣収納カセット３が装填される装填空間には、上下方向に沿うガイド６２に沿って昇降可能な可動ステージ６３が設けられている。この可動ステージ６３は、機体左右方向に沿って延在するように配置された回転自在の支持ローラ６４を有している。可動ステージ６３は、図示略のスプリングで常時上方向に付勢されており、上限位置においては図示略のストッパに当接する。
【００３０】
以上の紙幣処理機１においては、処理機本体２の前面の扉体４０を開いた状態で、カセットシャッタ５３が閉状態とされた空の紙幣収納カセット３を処理機本体２内の所定の装填位置に装填する。つまり、紙幣収納カセット３の枠体４３をガイドレール５０上を摺動させて奥側の所定位置まで移動させる。すると、カセットシャッタ５３のロックが解除されるとともに枠体４３が処理機本体２にロックされる。
【００３１】
ロックが解除されたカセットシャッタ５３を処理機本体２の前面２Ａ側に引き出すと、引き出されたカセットシャッタ５３は、スライド体５５が導入口５２から退避する位置に位置すると揺動体５７が全体として枠体４３よりも外側に位置し、回動軸５６を介して回動可能となって下方に延出する姿勢に折り畳まれる。
【００３２】
上記した装填時に、変形容易な袋体４２は、上部の待機位置に位置する可動ステージ６３の支持ローラ６４の上側に一部載置されることになり、これにより、袋体４２は中間部が窄められた状態となる。このとき、袋体４２の窄められた窄部６７よりも上側が紙幣Ｓを収納する収納空間６８となり、袋体４２の窄められた窄部６７が収納空間６８の底部となる。
【００３３】
そして、例えば、紙幣Ｓの入金収納処理を行う場合には、操作者が装填部１２のビルプレス１７を持ち上げてこれと台部１５との間に紙幣Ｓを、その短手方向を機体前後方向に沿わせた状態で装填する。このとき、金種混合の装填および単一金種の装填のいずれも可能である。そして、操作者が操作部３７に入金開始の操作を入力すると、制御部３６が分離繰出部２０と搬送部２５とを駆動する。すると、装填部１２に装填された紙幣Ｓが最下のものから一枚ずつ機内に繰り出され、搬送部２５で搬送される。その途中で識別部２８により受け入れ可能と識別された紙幣Ｓが搬送路２７から一時貯留部３０内に放出され、それ以外の紙幣Ｓがリジェクト部１３に放出される。なお、リジェクト部１３に放出された紙幣Ｓはそのまま機外へ取り出し可能となる。
【００３４】
上記のようにして、装填部１２に装填された紙幣Ｓが、リジェクト部１３および一時貯留部３０のいずれかに放出されることですべてなくなると、制御部３６は、分離繰出部２０および搬送部２５を停止させて、識別部２８の識別結果に基づいて一時貯留部３０に一時貯留された紙幣Ｓの識別結果を表示部３８に表示させる。この表示を見て操作者がキャンセル操作を操作部３７に入力すると、制御部３６は返却扉ロック部３９で返却扉３１のロックを解除して開放可能とし、操作者が返却扉３１を開いて直接一時貯留部３０の紙幣Ｓを取り出すことになる。
【００３５】
他方、表示を見て操作者が承認操作を操作部３７に入力すると、制御部３６は一時貯留部シャッタ３４を開作動させることになり、一時貯留空間３３から、紙幣Ｓが下方に落下して、カセットシャッタ５３が開放された紙幣収納カセット３の導入口５２を通って閉状態の一対のフラッパ６０上に載置される。続いて、制御部３６は、押込部３５を下降させて、一対のフラッパ６０上の紙幣Ｓを、これらフラッパ６０を下方に回動させながら押し込む。すると、紙幣Ｓは、一対のフラッパ６０を通過して、可動ステージ６３で窄められた窄部６７で底部が形成される袋体４２の収納空間６８の底部または既に収納された紙幣Ｓ上に収納される。一対のフラッパ６０は紙幣Ｓが離れることで図示略のネジリバネの付勢力で水平状態に戻る。このとき、袋体４２の可動ステージ６３で窄められた窄部６７より下側に紙幣Ｓが進入することはない。
【００３６】
また、このとき、押込部３５の下降による紙幣Ｓを介しての押圧で、可動ステージ６３とその支持ローラ６４で窄められて形成される収納空間６８の底部とが、押し込む紙幣量に応じて下降することになる。
【００３７】
その後、押込部３５が閉状態の一対のフラッパ６０間を通過しながら上昇し、この押込部３５の上昇によって図示略のスプリングの付勢力で、可動ステージ６３とその支持ローラ６４で窄められて形成される収納空間６８の底部とが上昇することになり、収納空間６８内の紙幣Ｓは支持ローラ６４上にある袋体４２の一部と一対のフラッパ６０とで挟持されることになる。
【００３８】
なお、以上の紙幣処理機１で紙幣Ｓの計数処理を行う場合は、上記と同様にして、装填部１２に装填された紙幣Ｓがすべてリジェクト部１３および一時貯留部３０に搬送されたら、一時貯留部３０から紙幣収納カセット３に紙幣Ｓを収納せずに、返却扉３１を開いて一時貯留部３０の紙幣Ｓを操作者に返却することになる。
【００３９】
上記のようにして紙幣Ｓを収納した紙幣収納カセット３を処理機本体２から取り出す場合には、まず、操作者は、扉体４０を開き、揺動体５７を水平に持ち上げて枠体４３に押し込むことでカセットシャッタ５３を閉じる。すると、カセットシャッタ５３が閉状態でロックされるとともに、枠体４３の処理機本体２に対するロックが解除されることになり、紙幣収納カセット３が処理機本体２から取り出し可能となる。このようにして処理機本体２から取り出された紙幣収納カセット３から紙幣を取り出す際には、操作者が上部構成体４６の下部構成体４４に対するロックを解除して上部構成体４６をカセットシャッタ５３と一体に揺動させて開き、袋体４２内から紙幣を取り出すことになる。
【００４０】
ところで、図３に示すように、紙幣処理機１から取り出した紙幣収納カセット３は、専用の搬送ケース７０に収容されて運ばれる。この搬送ケース７０は、主に外枠を形成し自立可能に構成されたケース本体部７２と、紙幣収納カセット３の枠体４３を下方から支持する支持部７３と、ケース本体部７２の下部開口部を閉塞する底部７４（後述する）とで構成されている。ケース本体部７２は、図４に示すように上面視略四角形状に配置された４枚の縦壁７６ａ，７６ｂ，７６ｃ，７６ｄを備え、これら縦壁７６ａ〜７６ｄのそれぞれ隣り合う辺同士がヒンジ結合によって回動自在に接続されている。なお、図３では、図示都合上ヒンジ構造を省略している（以下、図４〜図１１も同様）。
【００４１】
支持部７３は、ケース本体部７２の向かい合う１対の縦壁７６ａ，７６ｃと平行に配置される２枚の外側縦板部７７，７７と２枚の内側縦板部７８，７８とで構成されている。なお、図４では、外側縦板部７７，７７および内側縦板部７８，７８が縦壁７６ａと平行に配置されている場合を示しているが、縦壁７６ｂ，７６ｄと平行になるように設けてもよい。
【００４２】
外側縦板部７７，７７は、縦壁７６ａ，７６ｃの近傍にそれぞれ配置されており、その左辺及び右辺がそれぞれ縦壁７６ｂ，７６ｄにヒンジ結合により回動自在に接続されている。各内側縦板部７８，７８は、平面視が長方形枠状の枠体４３の外側の短辺よりもやや長く、外側の長辺よりも短い所定の距離だけ外側縦板部７７，７７から離間したケース本体７２の内側に配置され、外側縦板部７７，７７と同様にヒンジ結合により縦壁７６ｂ，７６ｄに回動自在に接続されている。すなわち、搬送ケース７０には、外側縦板部７７，７７と内側縦板部７８，７８との間に、縦壁７６ａ，７６ｃに平行な２列の上部開口部９０が形成されることとなる。
【００４３】
図５に示すように、内側縦板部７８，７８には、この内側縦板部７８，７８の上下中央位置よりもやや下方位置に、縦壁７６ａ，７６ｃに沿う（図５の紙面表裏方向に沿う）帯状の孔７９が形成されている。
底部７４は、上述した外側縦板部７７の下部内側にそれぞれヒンジ結合により回動自在に配置された一対の底板８０，８０で構成され、底部７４が閉塞状態となる場合に、それぞれの底板８０，８０の端部８１，８１が前述した孔７９の開口下縁に支持されて略水平状態となる。
【００４４】
また、底部７４を開放する際には、底板８０，８０の端部８１，８１が上方（図５中、矢印で示す）に揺動して、これら底板８０，８０の上面がそれぞれ外側縦板部７７，７７の内面に当接し、図６に示すように、外側縦板部７７，７７と底板８０，８０とが重なった状態になる。ここで、搬送ケース７０の孔７９の上下幅は、底板８０，８０を揺動させたときに、その端部８１，８１が孔７９の開口上縁に干渉しない所定の幅に設定されている。また、ケース本体部７２の縦壁７６ａ，７６ｃの外面には、搬送ケース７０を把持し易いようにそれぞれ取っ手８２が取り付けられている（図４参照）。
【００４５】
図７に示すように、上述した枠体４３と袋体４２とからなる紙幣収納カセット３には、袋体４２の下端部８３に係止手段であるフック８４が取り付けられている。紙幣収納カセット３は、紙幣Ｓが収納されていないときに、図８に示すように、袋体４２を枠体４３の長辺側に巻回した保管用の姿形にすることができる。なお、枠体４３の短辺側に袋体４２を巻回するように設定してもよい。
【００４６】
より具体的には、紙幣収納カセット３の袋体４２を完全に伸ばして十分な張力をかけながら枠体４３に巻回すると、袋体４２の端部８３に取り付けられたフック８４が枠体４３の長辺側の下面縁部に設けられた凸部等の係止部８５に係止可能となる。そして、このフック８４が枠体４３の係止部８５に係止されることで、枠体４３への袋体４２の巻回状態が保持される。このように、紙幣収納カセット３を保管用の姿形にする場合、張力をかけながら枠体４３に巻回するため、作業者が袋体４２を意識的に伸ばすことを促すことができる。ここで、上述のフック８４が係止部８５に係止される際には、フック８４の弾性や袋体４２の伸縮性によって係止状態が維持される。なお、上述の実施の形態では、簡易な構成としてフック８４を係止部８５に係止したが、係止可能な構造であればフック８４に限られるものではない。
【００４７】
次に上述した紙幣収納カセット３及び搬送ケース７０の作用を説明する。
図３に示すように、紙幣処理装置１から取り出した紙幣収納カセット３を、枠体４３の短辺が外側縦板部７７及び内側縦板部７８と平行で且つ袋体４２を下方に向けた状態で、搬送ケース７０の上部開口部９０に挿入する。すると、枠体４３の短辺側の下面が外側縦板部７７，７７及び内側縦板部７８，７８の上縁に載置され、枠体４３が支持部７３によって下方から支持され、紙幣収納カセット３が搬送ケース７０に収容された状態となる。同様に、縦壁７６ａ，７６ｃに沿って長尺な上部開口部９０に、収容可能な所定の個数だけ紙幣収納カセット３を並列に収容し、その後、この搬送ケース７０を収容した紙幣収納カセット３を搬送先である集金センターなどに搬送する。
【００４８】
搬送先に搬送ケース７０が到着すると、紙幣収納カセット３を搬送ケース７０から取り出して、上述した所定の手順で紙幣収納カセット３に収納されている紙幣Ｓを取り出す。
【００４９】
紙幣収納カセット３から紙幣Ｓを取り出した後、空の紙幣収納カセット３を保管用の姿形にすべく、その袋体４２を図８に示すように枠体４３に巻回して袋体４２の端部８３のフック８４を枠体４３の係止部８５に係止させる。そして、保管用の姿形になった紙幣収納カセット３を、例えば、図９に示すように、保管室の所定の場所に積み上げて保管する。
【００５０】
また、紙幣収納カセット３を取り出した搬送ケース７０を、図５，６に示すように、底部７４が閉塞された状態から、底板８０，８０の端部８１，８１を上方に揺動させて図６に示すように底板８０，８０が外側縦板部７７，７７に当接した状態にする。この状態で、図１０に示すように、ケース本体部７２の対角線上の角部９１ａ，９１ｃをケース本体７２の内側（図１０中矢印で示す方向）に向かって押圧すると、ケース本体部７２の縦壁７６ａ〜７６ｄをヒンジ結合する接続部９２ａ〜９２ｄ及び支持部７３をヒンジ結合する接続部９３がそれぞれ所定の方向に回動して、搬送ケース７０が折畳まれる。なお、折畳まれた状態の搬送ケース７０を組み立てる手順は、上述した折畳む手順と逆の手順で行われ、角部９１ａ，９１ｃをそれぞれケース本体７２の外側に向かって広げた後に底部７４を閉塞させる。
【００５１】
次に、保管用の姿形で保管されている紙幣収納カセット３を紙幣処理機１が設置されている場所まで搬送する際には、図１１に示すように、組み立て済みの搬送ケース７０に紙幣収納カセット３を収容して搬送する。より具体的には、紙幣収納カセット３の枠体４３の長辺が支持部７３の外側縦板部７７，７７及び内側縦板部７８，７８に対して平行となる状態、すなわち紙幣を収納しているときと９０度異なる角度で上部開口部９０から搬送ケース７０内に重ねて収容する。この場合、縦壁７６ａ〜７６ｄの高さ寸法に応じた所定の個数だけ紙幣収納カセット３を重ねて搬送ケース７０内に収容することができるため、紙幣Ｓを収納しているときよりも多数の紙幣収納カセット３を収容することができる。
【００５２】
なお、図１１に示す搬送ケース７０は上述した実施の形態の変形例を示しており、紙幣Ｓが収納された紙幣収納カセット３を収容したときに紙幣収納カセット３の縦壁７６ａ，７６ｃに沿う方向への変位を規制する規制手段９５が、外側縦板部７７，７７及び内側縦板部７８，７８の上部に突設されている。
【００５３】
この規制手段９５は、ケース本体部７２の縦壁７６ｂ，７６ｄに沿って形成された板状の部材であり、縦壁ａに沿って枠体４３の短辺の長さに対応する所定の間隔で配置されている。また、この規制手段９５は、それぞれ外側縦板部７７および縦壁７６ａ，７６ｃの間に配置され外側縦板部７７と縦壁７６ａ、７６ｃとにそれぞれヒンジ結合により接続される部材と、内側縦壁部７８，７８の間に配置され内側縦壁部７８，７８にそれぞれヒンジ結合により接続される部材とで構成されている。また、この変形例では、外側縦板部７７，７７および内側縦板部７８，７８の上縁位置がケース本体部７２の上縁位置よりも低い位置に配置されているが、これらの上縁位置を一致させてもよい。
【００５４】
したがって、上述の実施の形態によれば、袋体４２内部の紙幣Ｓが回収され空の状態にされたときに、袋体４２を枠体４３に巻回して保管用の姿形にすることができるため、空になった紙幣収納カセット３のサイズを縮小して取扱性及び保管効率の向上を図ることができる。
【００５５】
また、袋体４２を枠体４３に巻回させたときに、袋体４２の下端部８３を枠体４３に係止させることができるため、空の紙幣収納カセット３をよりコンパクトな状態で保管することができる。
【００５６】
さらに、紙幣収納カセット３の枠体４３を、自立可能に構成されたケース本体部７２の上部開口部９０に設けられた支持部７３によって支持することができるため、紙幣収納カセット３を安定的且つ容易に搬送することができる。
【００５７】
そして、紙幣収納カセット３を搬送して取り出した後に搬送ケース７０を折畳むことができるため、紙幣収納カセット３を収容しない保管時に搬送ケース７０を小型化することができ、保管効率の向上を図ることができる。
【００５８】
尚、この発明は上述した実施の形態に限られるものではなく、袋体４２を枠体４３に巻回する場合について説明したが、袋体４２を単に折畳んだ状態で係止手段によって枠体に係止させる構成にしてもよい。
また、上記実施の形態では、搬送ケース７０において、ヒンジ結合によって回動自在に構成した場合について説明したが、回動自在な構成であればヒンジ結合に限られるものではない。
【図面の簡単な説明】
【００５９】
【図１】本発明の実施の形態における紙幣処理機の概略構成図である。
【図２】本発明の実施の形態における処理機本体内部の部分断面図である。
【図３】本発明の実施の形態における搬送ケース及び紙幣収納カセットの斜視図である。
【図４】本発明の実施の形態における搬送ケースの斜視図である。
【図５】本発明の実施の形態における底部が閉塞状態の場合の図４のＡ−Ａ線に沿う断面図である。
【図６】本発明の実施の形態における底部が開放状態の場合の図４のＡ−Ａ線に沿う断面図である。
【図７】本発明の実施の形態における紙幣収納カセットの側面図である。
【図８】本発明の実施の形態における紙幣収納カセットの保管用の姿形の側面図である。
【図９】本発明の実施の形態における紙幣収納カセットの保管例を示す斜視図である。
【図１０】本発明の実施の形態における搬送ケースが折り畳まれた状態を示す平面図である。
【図１１】本発明の実施の形態における保管用の姿形の紙幣収納カセットを収容した状態を示す斜視図である。
【符号の説明】
【００６０】
４２  袋体
４１  開口部
４３  枠体
５２  導入口
５３  カセットシャッタ（シャッタ）
７２  ケース本体部（ケース本体）
７３  支持部（支持手段）
８４  フック（係止手段）
８５  係止部（係止手段）
９０  上部開口部
【図１】
0005210572.tif 000002
【図２】
0005210572.tif 000003
【図３】
0005210572.tif 000004
【図４】
0005210572.tif 000005
【図５】
0005210572.tif 000006
【図６】
0005210572.tif 000007
【図７】
0005210572.tif 000008
【図８】
0005210572.tif 000009
【図９】
0005210572.tif 000010
【図１０】
0005210572.tif 000011
【図１１】
0005210572.tif 000012